(57)【特許請求の範囲】
【請求項１】
内容物を充填及び排出する口部と、該口部に向かって先細りになるテーパ面とを有する円錐形の容器本体を備え、
前記容器本体の底面は、容器本体を直立させる底部側平坦面と、この底部側平坦面に引き続いて繋がり当該底部側平坦面を基点とする容器本体のスイング動作を誘導する曲面と、この曲面と前記テーパ面とを繋いで底面の縁部を構成する縁部側平坦面とからなり、
この縁部側平坦面が、スイング動作による容器の転倒を防止するストッパとして機能することを特徴とするスイング可能な合成樹脂製容器。
【請求項２】
前記底部側平坦面は、容器の底面中央領域で一方向に延在するものである請求項１に記載の合成樹脂製容器。
【請求項３】
前記縁部側平坦面に、局所的に突起を形成した請求項１または２に記載の合成樹脂製容器。
【請求項４】
前記縁部側平坦面に、当該縁部側平坦面に沿って伸びるリブを形成した請求項１または２に記載の合成樹脂製容器。
【発明の詳細な説明】
【０００１】
【発明の属する技術分野】
本発明は、商品の識別機能に優れた合成樹脂製容器に関するものである。
【０００２】
【従来の技術】
合成樹脂製の容器は、様々な形態に加工することができ、しかも製造コストが安価であることから、飲料水、家庭用洗剤、化粧品などの内容物を充填する容器として、日常生活のあらゆるものに利用されている。このため、合成樹脂製容器を利用するメーカー各社は、合成樹脂製容器に特異な外観を持たせることにより、他社との差別化を図っている。
【０００３】
【発明が解決しようとする課題】
しかしながら、様々な商品に合成樹脂製容器が利用されている現在にあっては、容器の外観形状を単に変更するという既存の手段では他社との差別化を図ることができなくなりつつある。
【０００４】
本発明は、上述した問題点を解消するためになされたものであって、合成樹脂製容器に付加価値を与えることにより、商品の識別機能の高い合成樹脂製容器を提供することを目的とする。
【０００５】
【課題を解決するための手段】
このため、第１発明に係る、スイング可能な合成樹脂製容器は、内容物を充填及び排出する口部と、該口部に向かって先細りになるテーパ面とを有する円錐形の容器本体を備え、前記容器本体の底面は、容器本体を直立させる底部側平坦面と、この底部側平坦面に引き続いて繋がり当該底部側平坦面を基点とする容器本体のスイング動作を誘導する曲面と、この曲面と前記テーパ面とを繋いで底面の縁部を構成する縁部側平坦面とからなり、この縁部側平坦面が、スイング動作による容器の転倒を防止するストッパとして機能することを特徴とするものである。
【０００６】
第１発明によれば、合成樹脂製容器がスイング動作するという付加価値を与えて他の商品との差別化を図ることにより、商品の識別機能の高い合成樹脂製容器を提供することができる。
【０００７】
加えて、第１発明に係る、合成樹脂製容器は、前記縁部側平坦面であるストッパの形状によってスイング式容器に特異な外観を持たせることにより、消費者やメーカーなどからのさらに細かなニーズに合せたスイング式容器を提供することができる。
【０００８】
第２発明に係る、合成樹脂製容器は、第１発明において、前記底部側平坦面は、容器の底面中央領域で一方向に延在するものである。この場合、合成樹脂製容器のスイング動作を所定の一方向にのみ規制して特異なスイング動作を行わせることにより、消費者やメーカーなどからのさらに細かなニーズに合せたスイング式容器を提供することができる。
【０００９】
第３発明に係る、合成樹脂製容器は、第１発明または第２発明において、前記縁部側平坦面に、局所的に突起を形成した。この場合、第１発明と同様に、ストッパの形状によってスイング式容器に特異な外観を持たせることにより、消費者やメーカーなどからのさらに細かなニーズに合せたスイング式容器を提供することができる。
【００１０】
第４発明に係る、合成樹脂製容器は、第１発明または第２発明において、前記縁部側平坦面に、当該縁部側平坦面に沿って伸びるリブを形成した。この場合、第１発明または第３発明と同様に、ストッパの形状によってスイング式容器に特異な外観を持たせることにより、消費者やメーカーなどからのさらに細かなニーズに合せたスイング式容器を提供することができる。
【００１１】
【発明の実施の形態】
以下、本発明の実施の形態を、添付図面に基づき詳細に説明する。
【００１２】
図１〜図３は、本発明に係る、スイング機構を備えた合成樹脂製容器（以下、スイング式容器という）の一実施形態であって、図１はスイング式容器を底面から示した平面図である。また図２は、スイング式容器を矢印Ａの方向から示した平面図、図３は、スイング式容器を矢印Ｂの方向から示した平面図である。
【００１３】
スイング式容器１０は、内容物を充填及び排出する容器本体１１と、この容器本体１１の口部１１ｍに取り付けられるスクリュー式キャップ１３とを備える合成樹脂製の容器であり、容器本体１１は、口部１１ｍに向かって先細りになるテーパ面１１ｆを有する円錐形である。またスイング式容器１０は、容器本体１１の底面１２に、スイング式容器１０を直立させると共に、スイング動作を可能にする形状を有する。
【００１４】
底面１２は、容器１０を直立させる底部側平坦面１２ｆと、この底部側平坦面１２ｆに引き続いて繋がり当該底部側平坦面１２ｆを基点とする容器１０のスイング動作を誘導する曲面１２ｃと、この曲面１２ｃとテーパ面１１ｆとを繋ぐ底面１２の縁部１２ｅと、この縁部１２ｅに位置してスイング動作によるスイング式容器１０の転倒を防止するストッパ１２ｓとからなる。なお、符号１２ｈは、底部側平坦面１２ｆを安定して成形するために設けられた窪みである。通常、射出ゲート付近は厚肉になるため、冷却不足により変形を起こし易く、この窪み１２ｈを設けることにより、安定した平坦面成形が可能となるのである。
【００１５】
底部側平坦面１２ｆは、図１または図３の如く、スイング式容器１０の底面１２の中央領域で矢印Ａの一方向に延在するものであるが、容器本体１１の底面１２の中央領域に曲面１２ｃが覆うように矩形に配したものであってもよい。また、ストッパ１２ｓは、図２に示すように、底面１２の縁部１２ｅに形成された平坦面であれば良いが、この平坦面は、底面１２の縁部に沿った全周にわたって形成された平坦面であってもよい。
【００１６】
これにより、スイング式容器１０は、底部側平坦面１２ｆが接地している時には図２に示す如く直立し、矢印Ｂから外力を加えると、曲面１２ｃによって矢印Ａの方向にスイング動作することなく、図２の矢印Ｓに示す如く、矢印Ｂの方向にのみスイング動作する。なお、スイング式容器１０が大きくスイング動作したときは、ストッパ１２ｓが接地するため転倒することがない。
【００１７】
従って、スイング式容器１０によれば、合成樹脂製容器がスイング動作するという付加価値を与えて他の商品との差別化を図ることにより、商品の識別機能の高い合成樹脂製容器を提供することができる。
【００１８】
特に、スイング式容器１０によれば、底部側平坦面１２ｆが底面１２の中央領域で矢印Ａの方向に延在するから、合成樹脂製容器のスイング動作を矢印Ｂの一方向にのみ規制して特異なスイング動作を行わせることにより、消費者やメーカーなどからのさらに細かなニーズに合せたスイング式容器を提供することができる。
【００１９】
また、スイング式容器１０によれば、ストッパ１２ｓの形状によってスイング式容器に特異な外観を持たせることにより、消費者やメーカーなどからのさらに細かなニーズに合せたスイング式容器を提供することができる。加えて、ストッパ１２ｓが形状の単純な平坦面であるため、スイング式容器１０を安価に提供することができる。
【００２０】
なお、図４，５は、スイング式容器の他の実施形態であって、スイング式容器を底面から示した平面図である。図４のストッパは、底面１２の縁部１２ｅのうち、平坦面としてなる縁部１２ｅに局所的に形成された突起１２ｐである。この場合、突起１２ｐは、矢印Ｂに沿った方向の両側にそれぞれ少なくとも１箇所ずつ設けられていればよい。
また、図５のストッパは、底面１２の縁部１２ｅのうち、平坦面としてなる縁部１２ｅに沿って形成されたリブ１２ｒである。これら２つの実施形態の場合も、ストッパの形状によってスイング式容器に特異な外観を持たせることにより、消費者やメーカーなどからのさらに細かなニーズに合せたスイング式容器を提供することができる。
【００２１】
上述したところから、好適な実施形態を示したに過ぎず、当業者によれば、請求の範囲において様々な変更を加えることができる。例えば、キャップ１３は、内容物を排出可能なポンプ機能付きキャップや、内容物を噴霧可能なスプレー機能付きキャップであってもよい。
【００２２】
【発明の効果】
上述したことから明らかな如く、第１発明によれば、合成樹脂製容器がスイング動作するという付加価値を与えて他の商品との差別化を図ることにより、商品の識別機能の高い合成樹脂製容器を提供することができる。
【００２３】
加えて、第１発明は、前記縁部側平坦面であるストッパの形状によってスイング式容器に特異な外観を持たせることにより、消費者やメーカーなどからのさらに細かなニーズに合せたスイング式容器を提供することができる。
【００２４】
第２発明は、前記底部側平坦面が容器の底面中央領域で一方向に延在するものであるから、合成樹脂製容器のスイング動作を所定の一方向にのみ規制して特異なスイング動作を行わせることにより、消費者やメーカーなどからのさらに細かなニーズに合せたスイング式容器を提供することができる。
【００２５】
第３発明は、前記縁部側平坦面に、局所的に突起を形成したから、第１発明と同様に、ストッパの形状によってスイング式容器に特異な外観を持たせることにより、消費者やメーカーなどからのさらに細かなニーズに合せたスイング式容器を提供することができる。
【００２６】
第４発明は、前記縁部側平坦面に、当該縁部側平坦面に沿って伸びるリブを形成したから、第１発明または第３発明と同様に、ストッパの形状によってスイング式容器に特異な外観を持たせることにより、消費者やメーカーなどからのさらに細かなニーズに合せたスイング式容器を提供することができる。
【図面の簡単な説明】
【図１】  本発明の一実施形態であるスイング式容器を底面から示した平面図である。
【図２】  同実施形態において、スイング式容器を矢印Ａの方向から示した平面図である。
【図３】  同実施形態において、スイング式容器を矢印Ｂの方向から示した平面図である。
【図４】  スイング式容器の他の実施形態を底面から示した平面図である。
【図５】  スイング式容器の更に他の実施形態を底面から示した平面図である。
【符号の説明】
１０  スイング式容器
１１  容器本体
１１ｆ  テーパ面
１１ｍ  容器口部
１２  容器底面
１２ｃ  曲面
１２ｅ  底面縁部
１２ｆ  底部側平坦面
１２ｐ  突起（ストッパ）
１２ｒ  リブ（ストッパ）
１２ｓ  縁部側平坦面（ストッパ）
１３  キャップ
【図１】
0004209077.tif 000002
【図２】
0004209077.tif 000003
【図３】
0004209077.tif 000004
【図４】
0004209077.tif 000005
【図５】
0004209077.tif 000006